(57)【要約】【課題】偏平巻上機をガイドレールに関係なく、昇降路内の自由な位置に設置する。【解決手段】ロープ３にかご１及びカウンターウエイト２を懸架し、偏平巻上機４によりロープ３を介してかご１及びカウンターウエイト２を昇降路８内にガイドレール６，７により案内させて昇降させる。そして、偏平巻上機４を昇降路８の底部８ａに設けた底部支持部２１により支持する。【選択図】図１
2006001698.tif 000002
【特許請求の範囲】
【請求項１】
昇降路内を昇降するかごと、かごの重量を補償するカウンターウエイトと、かご及びカウンターウエイトを昇降方向に案内するガイドレールと、かご及びカウンターウエイトを懸架するロープと、ロープを介してかご及びカウンターウエイトを昇降させる偏平巻上機とを備えたエレベータ装置において、昇降路底部に設けた底部支持部により偏平巻上機を支持したことを特徴とするエレベータ装置。
【請求項２】
昇降路内を昇降するかごと、かごの重量を補償するカウンターウエイトと、かご及びカウンターウエイトを昇降方向に案内するガイドレールと、かご及びカウンターウエイトを懸架するロープと、ロープを介してかご及びカウンターウエイトを昇降させる偏平巻上機とを備えたエレベータ装置において、昇降路底部に設けた底部支持部と昇降路側壁に設けた側壁支持部とにより偏平巻上機を支持したことを特徴とするエレベータ装置。
【請求項３】
昇降路内を昇降するかごと、かごの重量を補償するカウンターウエイトと、かご及びカウンターウエイトを昇降方向に案内するガイドレールと、かご及びカウンターウエイトを懸架するロープと、ロープを介してかご及びカウンターウエイトを昇降させる偏平巻上機とを備えたエレベータ装置において、昇降路側壁に設けた第１の側壁支持部と昇向路側壁に設けた第２の側壁支持部とにより偏平巻上機を支持したことを特徴とするエレベータ装置。
【発明の詳細な説明】
【技術分野】
【０００１】
この発明は、エレベータ装置に関し、特にその偏平巻上機の昇降路内への設置に関するものである。
【背景技術】
【０００２】
図４は特許文献１に示された従来のエレベータ装置の斜視図を示し、１は人又は荷物が載り、昇降路８内を昇降するかご、２はかご１の重量を補償するカウンターウエイト、３はかご１とカウンターウエイト２とを懸架するロープ、４はロープ３を介してかご１とカウンターウエイト２とを駆動し、昇降させる偏平巻上機、５ａ，５ｂはロープ３の懸架方向を転換する返し車、６はかご１を昇降方向に案内するかご用ガイドレール、７はカウンターウエイト２を昇降方向に案内するカウンターウエイト用ガイドレール、９は偏平巻上機４を支持する巻上機固定用ビーム、１０はかご１の吊り車、１１はカウンターウエイト２の吊り車、１２はかご１側の綱止め、１３はカウターウエイト２側の綱止め、１４，１５は緩衝器、１６，１７は緩衝器台、１８は支持具、１９は昇降路８の下端に埋め込まれた下端固定具、２０は巻上機固定用ビーム９と連結された第２の支持具である。なお、一点鎖線Ａ−Ａは、かご最下階停止時のかご床面の高さを示す。
【０００３】
上記構成のエレベータ装置においては、偏平巻上機４の下端は一点鎖線Ａ−Ａ、即ちかご最下階停止時のかご床面よりも上方で、かつかご最上階停止時のかご天井よりも下方に配置されている。又、偏平巻上機４を支持する巻上機固定用ビーム９の一端はカウンターウエイト用ガイドレール７に連結され、他端は支持具１８の上端に連結され、支持具１８の下端は下端固定具１９に連結されている。
【特許文献１】特開２００１−１９２１９１号公報
【発明の開示】
【発明が解決しようとする課題】
【０００４】
上記した特許文献１に記載された従来のエレベータ装置は、機械室を設けず、偏平巻上機４を昇降路８内に設置する方式であり、偏平巻上機４はガイドレール７等を利用して昇降路８内に設置されている。しかしながら、この場合、偏平巻上機４の設置場所がガイドレールの近くに限定されるという欠点があった。
【０００５】
この発明は上記のような課題を解決するために成されたものであり、偏平巻上機をガイドレールに関係なく、昇降路内の自由な位置に設置することができるエレベータ装置を得ることを目的とする。
【課題を解決するための手段】
【０００６】
この発明の請求項１に係るエレベータ装置は、昇降路内を昇降するかごと、かごの重量を補償するカウンターウエイトと、かご及びカウンターウエイトを昇降方向に案内するガイドレールと、かご及びカウンターウエイトを懸架するロープと、ロープを介してかご及びカウンターウエイトを昇降させる偏平巻上機とを備えたエレベータ装置において、昇降路底部に設けた底部支持部により偏平巻上機を支持したものである。
【０００７】
請求項２に係るエレベータ装置は、昇降路内を昇降するかごと、かごの重量を補償するカウンターウエイトと、かご及びカウンターウエイトを昇降方向に案内するガイドレールと、かご及びカウンターウエイトを懸架するロープと、ロープを介してかご及びカウンターウエイトを昇降させる偏平巻上機とを備えたエレベータ装置において、昇降路底部に設けた底部支持部と昇降路側壁に設けた側壁支持部とにより偏平巻上機を支持したものである。
【０００８】
請求項３に係るエレベータ装置は、昇降路内を昇降するかごと、かごの重量を補償するカウンターウエイトと、かご及びカウンターウエイトを昇降方向に案内するガイドレールと、かご及びカウンターウエイトを懸架するロープと、ロープを介してかご及びカウンターウエイトを昇降させる偏平巻上機とを備えたエレベータ装置において、昇降路側壁に設けた第１の側壁支持部と昇向路側壁に設けた第２の側壁支持部とにより偏平巻上機を支持したものである。
【発明の効果】
【０００９】
この発明の請求項１によれば、昇降路の底部に設けた底部支持部により偏平巻上機を支持したので、偏平巻上機をガイドレールに関係なく、昇降路内の自由な位置に設置することができる。
【００１０】
請求項２によれば、昇降路の底部に設けた底部支持部と昇降路の側壁に設けた側壁支持部とにより偏平巻上機を支持したので、偏平巻上機をガイドレールに関係なく、昇降路内の自由な位置に設置することができる。
【００１１】
請求項３によれば、昇降路の側壁に設けた第１の側壁支持部と昇降路の側壁に設けた第２の側壁支持部とにより偏平巻上機を支持したので、偏平巻上機をガイドレールに関係なく、昇降路内の自由な位置に設置することができる。
【発明を実施するための最良の形態】
【００１２】
実施最良形態１
以下、この発明を実施するための最良の形態を図面とともに説明する。図１（ａ）はこの発明の実施最良形態１によるエレベータ装置の斜視図、図１（ｂ），（ｃ）は実施最良形態１によるエレベータ装置の偏平巻上機の設置構造の正面図及び側面図である。図において、１は昇降路８内を昇降するかご、２はかご１の重量を補償するカウンターウエイト、６はかご１を昇降方向に案内するかご用ガイドレール、７はカウンターウエイト２を昇降方向に案内するカウンターウエイト用ガイドレール、３はかご１及びカウンターウエイト２を懸架するロープ、４はロープ３を介してかご１及びカウンターウエイト２を駆動し、昇降させる偏平巻上機である。
【００１３】
昇降路８の底部８ａには底部支持部２１が立設され、底部支持部２１には偏平巻上機４が取り付けられる。
【００１４】
実施最良形態１においては、偏平巻上機４は昇降路８の底部８ａ上に立設された底部支持部２１に支持されるので、偏平巻上機４をガイドレール６，７と関係なく、昇降路８内の自由な位置に設置することができる。ただし、昇降路８内のかご１及びカウンターウエイト２の移動範囲外であることが必要である。
【００１５】
実施最良形態２
図２（ａ），（ｂ）はこの発明の実施最良形態２によるエレベータ装置の偏平巻上機の設置構造の正面図及び側面図を示し、２２は昇降路８の底部８ａ上に立設された底部支持部、２３は昇降路８の側壁８ｂに取り付けられた側壁支持部であり、偏平巻上機４は底部支持部２２及び側壁支持部２３の両者に取り付けられる。
【００１６】
実施形態２においても、偏平巻上機４は昇降路８の底部８ａ上に立設された底部支持部２２及び昇降路８の側壁８ｂに取り付けられた側壁支持部２３に取り付けられるので、偏平巻上機４をガイドレール６，７と関係なく、昇降路８内の自由な位置に設置することができる。この場合も、昇降路８内のかご１及びカウンターウエイト２の移動範囲外であることが必要である。
【００１７】
実施最良形態３
図３（ａ），（ｂ）はこの発明の実施最良形態３によるエレベータ装置の偏平巻上機の設置構造の正面図及び側面図を示し、２４は昇降路８の側壁８ｂに取り付けられた第１の側壁支持部、２５は昇降路８の側壁８ｂに取り付けられた第２の側壁支持部であり、偏平巻上機４は第１及び第２の側壁支持部２４，２５の両者に取り付けられる。
【００１８】
実施形態３においても、偏平巻上機４は昇降路８の側壁８ｂに取り付けられた第１及び第２の側壁支持部２４，２５の両者に取り付けられるので、偏平巻上機４をガイドレール６，７と関係なく、昇降路８内の自由な位置に設置することができる。この場合も、昇降路８内のかご１及びカウンターウエイト２の移動範囲外であることが必要である。
【図面の簡単な説明】
【００１９】
【図１】この発明の実施最良形態１によるエレベータ装置の斜視図、偏平巻上機の設置構造の正面図及び側面図である。
【図２】実施最良形態２によるエレベータ装置の偏平巻上機の設置構造の正面図及び側面図である。
【図３】実施最良形態３によるエレベータ装置の偏平巻上機の設置構造の正面図及び側面図である。
【図４】特許文献１に記載された従来のエレベータ装置の斜視図である。
【符号の説明】
【００２０】
１…かご
２…カウンターウエイト
３…ロープ
４…偏平巻上機
６，７…ガイドレール
８…昇降路
８ａ…底部
８ｂ…側壁
２１，２２…底部支持部
２３〜２５…側壁支持部
【図１】
2006001698.tif 000003
【図２】
2006001698.tif 000004
【図３】
2006001698.tif 000005
【図４】
2006001698.tif 000006